(57)【要約】      （修正有）【課題】スリッタユニットを製造又は修理する際に、作業性を向上させることができるカード裁断機を提供する。【解決手段】用紙の搬送路を挟み、互いに逆方向に回転する一対のシャフト１１、２１に複数の回転刃１２、２２を配することで上下一対のスリッタ機構を形成し、そのスリッタ機構を筺体４０内に収容してなるカード裁断機用スリッタユニットにおいて、貫通孔６１から連続する切欠６２を有する平板６０を折り曲げてなるガイド部材２３を、下方位置のスリッタの回転刃２２ａ，２２ｂ間に介装し、切欠を介してシャフト２１を貫通させた。平板の折り曲げられた部位を筺体への取付部６３とし、切欠部から下方に向けて連続する他側縁部を切り屑を排出部へと向かわせるためのガイド部６４とした。【選択図】図４
2012218106.tif 000002
【特許請求の範囲】
【請求項１】
用紙（３）の搬送路（８）を挟み、該用紙（３）の搬送方向に対して直交する方向に軸方向を配した一対のシャフト（１１，２１）の夫々に、軸方向に所定の間隔を保持して複数の回転刃（１２，２２）を配することで第１及び第２のスリッタ（１，２）を形成し、該第１及び第２のスリッタ（１，２）の相対する前記回転刃（１２，２２）の周縁同士が摺り合いながら回転することで、前記用紙（３）の搬送方向に沿った裁断を可能とするスリッタ機構（１０）を、筺体（４０）内に収容してなるスリッタユニットを含んで構成されたカード裁断機（１００）において、
前記第２のスリッタ（２）のシャフト（２１）を貫通させることができる貫通部（６１）と、該貫通部（６１）から連続する切欠部（６２）と、を有する平板部（６０）と、該平板部（６０）から直角方向に延びる取付部（６３）と、からなり、該取付部（６３）とは反対側の周縁部において前記用紙の切り屑を排出部（７０）へと向かわせるガイド部材（２３）を、前記第２のスリッタ（２）の隣り合う回転刃（２２ａ，２２ｂ）間に介装すると共に、前記取付部（６３）を前記筺体（３０）に固定したことを特徴とするカード裁断機。
【請求項２】
前記ガイド部材（２３）は、前記第２のスリッタ（２）のシャフト（２１）を貫通させることができる貫通部（６１）と、該貫通部（６１）から上方に向けて連続する切欠部（６２）と、を有する平板（６０’）の一側部を折り曲げることで、前記取付部（６３）を構成すると共に、切り欠いた上端部から連続する他側部の端縁において、前記用紙（３）の切り屑を下方へと向かわせるためのガイド部（６４）を形成したことを特徴とする請求項１に記載のカード裁断機。
【請求項３】
用紙（３）の搬送路（８）を挟み、前記用紙（３）の搬送方向に対して直交する方向に軸方向を配した一対のシャフト（１１，２１）の夫々に、軸方向に所定の間隔を保持して複数の回転刃（１２，２２）を配することで第１及び第２のスリッタ（１，２）を形成し、該第１及び第２のスリッタ（１，２）における相対する前記回転刃（１２，２２）の周縁同士が摺り合いながら回転することで、前記用紙（３）の搬送方向に沿った裁断を可能とするスリッタ機構（１０）を、筺体（４０）内に収容してなるカード裁断機用スリッタユニットにおいて、
下方位置に配設された前記スリッタ（２）のシャフト（２１）を貫通させることができる貫通部（６１）と、該貫通部（６１）から上方に向けて連続する切欠部（６２）と、を有する平板（６０’）の一側部を折り曲げることで、前記筺体（４０）への取付部（６３）を形成すると共に、前記切欠部（６２）から下方に向けて連続する他側縁部において前記用紙（３）の切り屑を排出部（７０）へと向かわせるガイド部材（２３）を、該スリッタの隣り合う回転刃（２２ａ，２２ｂ）間に前記切欠部（６２）を介して介装すると共に、前記取付部（６３）を前記筺体（４０）に固定したことを特徴とするカード裁断機用スリッタユニット。
【発明の詳細な説明】
【技術分野】
【０００１】
本発明は、複数のカード用の印刷が施された用紙を、所定のサイズに裁断してカードを製作するためのカード裁断機に関し、特に、用紙の搬送方向に沿って裁断するためのスリッタユニットの製造を容易なものとすることができるカード裁断機、及びカード裁断機用スリッタユニットに関する。
【背景技術】
【０００２】
カード用の印刷が施された規格サイズのカード用紙を、所定のサイズに裁断し、複数のカードを作成するためのカード裁断機は、カード用紙の収容された給紙トレイから用紙を１枚ずつ送り出すための給紙部と、用紙を所定のカードサイズに裁断するための裁断部と、裁断部によって作成された複数のカードを排出するための排出部と、を用紙の搬送路上に順次設けて構成される。
このようなカード裁断機の裁断部において、カード用紙を搬送方向（即ち、縦方向）に裁断するためのスリッタ機構１０は、図１０に示すように、カード用紙の搬送路を挟んで、搬送方向に対して直交する方向に延びる上下２つのスリッタ１、２によって構成されており、夫々のスリッタ１，２は、互いに逆方向に回転する上下一対のシャフト１１，２１に、複数の回転刃１２，２２を所定の間隔をあけて設けた構成となっている。
【０００３】
上下のスリッタ１，２の回転によって、その対となる回転刃１２，２２の刃先が相互に摺接し、スリッタの間を通過するカード用紙を縦方向に裁断するようになっているが、この際、図１１に示すレイアウトのカード用紙３のように、縦方向に並ぶカード用の領域３１の間に余白部３２（即ち、中ドブ）を設けたものにあっては、切り屑となる余白部３２が、隣り合う回転刃（２２ａ，２２ｂ）間に挟まり、回転刃間に回り込んで停滞してしまうことがあったので、かかる事態を防止するために、図１２に示すように、シャフト２１に挿通させるための貫通孔の形成された板状体からなるガイド部材２３を、回転刃（２２ａ，２２ｂ）の間に設ける技術が提案されている（特許文献１）。
【０００４】
貫通孔を有するガイド部材２３を、回転刃２２，２２ａ，２２ｂと共にシャフト２１に挿通させることで下方用のスリッタ２を形成し、上方用のスリッタ１と共に、カード裁断機のハウジング内に回転可能に取り付けている。
【先行技術文献】
【特許文献】
【０００５】
【特許文献１】特許第３８８１３２７号公報
【発明の概要】
【発明が解決しようとする課題】
【０００６】
しかし、カード用紙３のレイアウトには、カード領域３１間に余白部３２を設けない場合、余白部３２の幅を変えたり縦方向の列数を変えたりする場合など、様々な裁断態様があり、その裁断態様ごとに異なるカード裁断機を購入することの不経済性を解消するために、縦方向の裁断を行うためのスリッタ機構は、筺体内に収容した状態で提供されることが多く、かかるスリッタユニットを製造・修理する際には、筺体の狭い空間内に２本のスリッタを組み付けなければいけないので、作業性が著しく悪いものとなっていた。
また、スリッタの組み付けの際に、筺体の開口縁部にガイド部材が干渉し、回転刃への接触や、刃先の損傷が生じることもあった。
【０００７】
そこで、本発明は、スリッタユニットを製造又は修理する際に、作業性を向上させることができるカード裁断機、及びカード裁断機用スリッタユニットの提供を目的とする。
【課題を解決するための手段】
【０００８】
上記課題を解決するために、本発明は、用紙の搬送路を挟み、該用紙の搬送方向に対して直交する方向に軸方向を配した一対のシャフトの夫々に、軸方向に所定の間隔を保持して複数の回転刃を配することで第１及び第２のスリッタを形成し、該第１及び第２のスリッタの相対する前記回転刃の周縁同士が摺り合いながら回転することで、前記用紙の搬送方向に沿った裁断を可能とするスリッタ機構を、筺体内に収容してなるスリッタユニットを含んで構成されたカード裁断機において、前記第２のスリッタのシャフトを貫通させることができる貫通部と、該貫通部から連続する切欠部と、を有する平板部と、該平板部から直角方向に延びる取付部と、からなり、該取付部とは反対側の周縁部において前記用紙の切り屑を排出部へと向かわせるガイド部材を、前記第２のスリッタの隣り合う回転刃間に介装すると共に、前記取付部を前記筺体に固定したことを特徴とするものである。
【０００９】
この場合、前記ガイド部材は、前記第２のスリッタのシャフトを貫通させることができる貫通部と、該貫通部から上方に向けて連続する切欠部と、を有する平板の一側部を折り曲げることで、前記取付部を構成すると共に、切り欠いた上端部から連続する他側部の端縁において、前記用紙の切り屑を下方へと向かわせるためのガイド部を形成したものであってもよい。
【００１０】
また、本発明は、用紙の搬送路を挟み、前記用紙の搬送方向に対して直交する方向に軸方向を配した一対のシャフトの夫々に、軸方向に所定の間隔を保持して複数の回転刃を配することで第１及び第２のスリッタを形成し、該第１及び第２のスリッタにおける相対する前記回転刃の周縁同士が摺り合いながら回転することで、前記用紙の搬送方向に沿った裁断を可能とするスリッタ機構を、筺体内に収容してなるカード裁断機用スリッタユニットにおいて、下方位置に配設された前記スリッタのシャフトを貫通させることができる貫通部と、該貫通部から上方に向けて連続する切欠部と、を有する平板の一側部を折り曲げることで、前記筺体への取付部を形成すると共に、前記切欠部から下方に向けて連続する他側縁部において前記用紙の切り屑を排出部へと向かわせるガイド部材を、該スリッタの隣り合う回転刃間に前記切欠部を介して介装すると共に、前記取付部を前記筺体に固定したことを特徴とするものである。
【発明の効果】
【００１１】
請求項１に係るカード裁断機は、シャフトの軸方向に配された回転刃によって用紙を搬送方向に裁断するものであるが、回転刃間の間隔が狭い場合は、裁断された用紙（即ち、帯状の切り屑）が回転刃間に挟まりやすいので、その切り屑を排出部へと円滑に導くためのガイド部材を、第２のスリッタのシャフトを貫通させることができる貫通部と、それに連続する切欠部と、を有する平板部によって構成したので、切欠部を介して第２のスリッタのシャフトに挿通させた後に、取付部を介して筺体に固定することによって、ガイド部材を第２のスリッタのシャフトに容易に取り付けることができる。
このため、筺体内に第２のスリッタを組み付けた後に、ガイド部材を回転刃間に取り付けることが可能となり、製造の際の作業性が向上される。また、ガイド部材を取り換えたり修理したりする際に、第２のスリッタを分解して取り外す必要がないので、作業性が向上する。
また、ガイド部材の平板部から直角方向に延びる取付部を設けたので、その取付部を筐体の内壁面に固体することで、ガイド部材を介して第２のシャフトが筐体に取り付けられた状態となる。これによって、第２のシャフトの安定性が向上される。
【００１２】
請求項２に係るカード裁断機は、第２のスリッタのシャフトを貫通させることができる貫通部と、その貫通部に連続する切欠部とを有する平板の一側部を折り曲げることで、筺体への取付部を構成すると共に、切欠部から連続する他側縁部においてガイド部を形成したので、ガイド部材を容易に製造することができる。
請求項３に係るカード裁断機用スリッタユニットは、回転刃によって裁断された用紙の切り屑を排出部へと導くためのガイド部材を、第２のスリッタのシャフトを貫通させることができる貫通部と、それに連続する切欠部と、を有する平板の一側部を折り曲げることによって形成した。これによって、折り曲げられた部位を筺体への取付部とし、切欠部から下方に向けて連続する他側縁部を、切り屑を排出部へと向かわせるためのガイド部とすることができる。
【００１３】
このようなガイド部材を取り付ける際には、スリッタユニット内に組み付けられた状態の第２のスリッタのシャフトに、切欠部を介して貫通部を環装させるように組み付けるが、この状態において取付部が筺体の壁面に位置するように折り曲げられていれば、ネジ止め等によって容易に筐体内に組み付けることができる。
このように、シャフトの所定位置に第２回転刃が取り付けられた状態の第２回転刃に、ガイド部材のみを着脱させることができるので、第２のスリッタを分解することなく、更には、第２のスリッタを筺体内から取り外すことなく、ガイド部材の取付けや交換を行うことができるようになり、製造や修理の際の作業性が向上される。
また、ガイド部材の平板部から直角方向に延びる取付部を設けたので、その取付部を筐体の内壁面に固体することで、ガイド部材を介して第２のシャフトが筐体に取り付けられた状態となる。これによって、第２のシャフトの安定性が向上される。
【図面の簡単な説明】
【００１４】
【図１】本発明のカード裁断機を示す斜視図である。
【図２】上記カード裁断機の構成の概要を示す断面図である。
【図３】カード用の印刷が施された用紙を示す説明図である。
【図４】本発明のスリッタユニットを示す分解斜視図である。
【図５】上記スリッタユニットの断面図である。
【図６】上記カード裁断機のスリッタ機構を排出部側から見た状態を示す説明図である。
【図７】上記スリッタユニットに設けられるガイド部材の斜視図である。
【図８】上記ガイド部材を製造するための平板を示す斜視図である。
【図９】上記スリッタユニットの変形態様を示す断面図である。
【図１０】従来のカード裁断機のスリッタ機構の一例を示す説明図である。
【図１１】カード領域間に余白部を有する裁断態様のカード用紙を示す説明図である。
【図１２】従来のカード裁断機に使用されるガイド部材を示す断面図である。
【発明を実施するための形態】
【００１５】
本発明の好適な実施形態について、添付図面に基づいて説明する。なお、実施形態は以下の形態に限定されるものではなく、本発明の課題を解決しうるものであれば他の態様も実施可能である。
【実施例１】
【００１６】
図１は、本発明の実施形態に係るカード裁断機１００を示す斜視図である。
このカード裁断機１００は、カード用の印刷が施されたＡ４サイズ、Ｂ４サイズ等の規格サイズの用紙３を、所定のカードサイズに裁断し、裁断された各カードを余白部と共に排出させるものであり、図２に示すように、給紙トレイ４から用紙３を１枚ずつ送り出すための搬送部５と、用紙３を所定のカードサイズに裁断するための裁断部６と、裁断部６によって作成された複数のカードを排出するためのカード排出部７と、を用紙の搬送路８上に順次設けて構成される。なお、裁断部６は、用紙３を搬送方向に対して直交する方向（横方向）に切断するためのカッタ機構９と、搬送方向に沿った方向（即ち、縦方向）に裁断するためのスリッタ機構１０とを有している。
【００１７】
搬送部５は、給紙トレイ４に複数枚積層して載置された用紙３を、その下流側に配されたピックアップローラ５１によって１枚づつ取り出し、給紙ローラ５２へと搬送するように構成される。
給紙ローラ５２は、重送防止パッド５３に圧接した状態で配設されており、給紙ローラ５２に搬送されたカード用紙３が２枚重なった状態で搬送されてきたときには、その摩擦力の相違によって一方の用紙のみを、下流側の第１搬送ローラ５４と搬送制御ローラ５５間に搬送する。
【００１８】
給紙ローラ５２と搬送ローラ５４間には、第１検出センサＳ１が配設されており、カード用紙３における裁断情報が検出される。
即ち、搬送される用紙３にはカード用の印刷システムによって所望のレイアウトで印列が施されているが、図３に示すように、カードのサイズに応じたカード領域３１以外の余白部３２に、その用紙３が裁断される状態に関する情報（即ち、切断ラインの間隔に関する切断情報）を示すマーク３３も、カード用の印刷と共に表示されている。この切断情報を示すマーク３３を第１センサＳ１が検出することによって、作成しようとするカードのサイズに応じた横方向の切断がなされるように、第１搬送ローラ５４と搬送制御ローラ５５とが、カッタ機構９に用紙を送り出すタイミングが制御される。
【００１９】
第１搬送ローラ５４と搬送制御ローラ５５の下流側には、カード用紙３の搬送方向先端部が基準位置に達したこと検出するための第２センサＳ２が配設される。この第２センサからの信号によって、第１搬送ローラ５４と搬送制御ローラ５５とが回転される。これらのローラ５４，５５の回転は、所定の搬送量毎にカード用紙３を間欠搬送することができるように設定されたステッピングモータによって駆動される。このような間欠搬送によって、用紙３における裁断位置（Ｌ１、Ｌ２・・・）が、カッタ機構９の存在する位置において一時停止されるようになっている。
【００２０】
カッタ機構９は、用紙３を横方向に切断するためのもので、搬送方向に対して直交する方向に延びる上下一対の切断刃９ａ，９ｂによって構成される。第１搬送ローラ５４と搬送制御ローラ５５とによって間欠搬送されたカード用紙３は、その間欠駆動制御に同期して駆動される切断刃９ａ、９ｂよって、搬送方向に直交する方向に裁断される。横方向に切断された用紙の切り屑は、後述する搬送ローラ５６、５７の間の空隙を介して、下方に設置された屑箱７０に排出される。
なお、切断刃９ａ、９ｂは、一方の切断刃が他方の切断刃に対して上下動し、他方の切断刃が固定された構成であってもよいし、双方が上下動する構成であってもよい。
【００２１】
カッタ機構９の下流には、第２搬送ローラ５６、第３搬送ローラ５７等の搬送ローラ群が設けられる。
搬送ローラ５６，５７は、それぞれ搬送路８を挟んで上下一対となっており、図１に示すように、上方のローラ５６’、５７’は、把手の付いた蓋体５０の下面に回転可能に取り付けられている。搬送中に紙詰まりが発生した場合は、把手を持ち上げて蓋体５０を取り外すことで、用紙を取り除くことができるようになっている。
第２搬送ローラ５６と第３搬送ローラ５７間には、第３センサＳ３が配置されており、第２搬送ローラ５６によって搬送された用紙３（即ち、カッタ機構９によって横方向に切断された後の状態のもの）の先端を検出する。第３センサＳ３からの信号によって、第３搬送ローラ５７が用紙３をスリッタ機構１０へと搬送するタイミングが制御される。
【００２２】
このような搬送ローラ群の下流には、用紙を縦方向に裁断するためのスリッタ機構１０が配設される。
スリッタ機構１０は、上下２本のスリッタ（１，２）と、そのスリッタを駆動させるための駆動部とからなるもので、筐体４０に収容された状態のスリッタユニットとして提供されている。用紙の裁断態様に応じたスリッタユニットが複数用意されており、カードのレイアウトに応じたものを適宜選択し、カード裁断機１００に組みつけて使用するようになっている。
以下、本発明の実施形態に係るスリッタユニットの構成を、図４及び図５を参照して説明する。
【００２３】
スリッタ機構１０は、上下一対のスリッタ１，２によって構成されており、これらのスリッタ１，２は、筐体４０の側壁面において軸支されている。
これらのスリッタ１，２は、図６に示すように、用紙３の搬送方向に対して直交する方向に軸方向を配したシャフト１１、２１の所定位置にディスク状の回転刃１２、２２を設けて構成される。
【００２４】
上方に位置する第１のスリッタ１は、第１シャフト１１の軸方向に、所定の間隔を保持して複数の回転刃１２を配している。例えば、図３に示すレイアウトで用紙３を裁断するためのスリッタユニットにあっては、シャフト１１の中央に、用紙中央の余白３２を裁断するための厚刃（中ドブ落とし用の厚刃１２ａ）を設け、シャフト１１の両端部に、用紙両側の余白３４を裁断するための厚刃（端落とし用の厚刃１２ｂ）を配設している。
中ドブ落とし用の厚刃１２ａは、両側の面に刃先が形成されている。端落とし用の厚刃１２ｂは、中央側の側面のみが刃面となっている。
【００２５】
下方に位置する第２のスリッタ２も、第２シャフト２１の軸方向に、所定の間隔を保持して複数の回転刃１２を配して構成される。この場合、第１のスリッタ１の各回転刃１２と対応するよう、シャフト２１の中央には、中ドブ落とし用の２枚の薄刃２２ａ，２２ｂを配設し、シャフト２１の両端部に、端落とし用の薄刃２２ｃを配設している。
第１のスリッタ１の中ドブ落とし用の厚刃１２ａの両側面は、夫々の面の周縁部において、第２のスリッタ２の中央の２枚の薄刃２２ａ，２２ｂと接している。
【００２６】
これらの２つのスリッタ１，２のシャフト１１，２１は、用紙３の搬送路８を挟んで互いに逆方向に回転され、それぞれの回転刃１２，２２の協働によって、用紙３が縦方向に裁断される。
この際、第１のスリッタ１の厚刃１２は、シャフト１１に軸着されており、シャフト１１と一体的に回転される。
【００２７】
一方、第２のスリッタ２の薄刃２２ａ，２２ｂ，２２ｃは、スプリング２４によって、夫々が対応する厚刃１２ａ，１２ｂの方向に向けて付勢されている。第２のスリッタ２も、ボス２７を介してシャフト２１と一体的に回転されるが、スプリング２４の押圧力によって軸方向にのみ移動可能となっている。
第１のスリッタ１の端落とし用の厚刃１２ｂは、円筒形状の回転刃であり、内側に設けられた刃面の周縁部において、第２のスリッタ２の薄刃２２ｃと接し、外側の周面において、第２のスリッタ２のシャフト２１の両端に取り付けられた位置ズレ防止用のローラ２９に圧接している。
【００２８】
位置ズレ防止用ローラ２９は、回転刃１２，２２によって裁断される際に用紙３がずれるのを防止するためのもので、ゴム等の弾性部材からなるローラ２９である。この位置ズレ防止用ローラ２９と、第１のスリッタ１の厚刃１２の円筒形状の周面とによって、用紙３の側縁部が保持されることで、用紙の幅方向全体にわたって一定の張力を及ぼすことができる。特に、ローラの円筒形状面から、搬送中の用紙の表面を常に一定の圧力で圧接できるので、裁断方向と直交する方向に張力を用紙３に及ぼしながら裁断することができる。
これによって、用紙の端部において、たわみが生ずることがないので、裁断ラインの直線性が維持される。
【００２９】
また、夫々のシャフト１１，１２において、回転刃１２，２２間に幅広の押圧ローラ１８，２８を配することで、横方向に切断された状態の用紙３がバラバラになることなく、縦方向の切断位置が維持されるようにしている。
第１のスリッタ１と第２のスリッタ２のシャフト１１，２１の端部には歯車１５、２５が取り付けられており、相互に噛合っている。図示しないモータによって第１のスリッタ１が回転されることで、第２のスリッタ２が逆方向に回転される。
【００３０】
このような第２のスリッタ２において、中央のドブ落とし用の２枚の回転刃（薄刃２２ａ，２２ｂ）の間に、ガイド部材２３が配される。
ガイド部材２３は、裁断された後の切り屑が刃の間に挟まった状態で、シャフトの回転と共に回り込んでしまうのを防止するためのもので、図７に示すように、平板部６０の中央に貫通部６１を設け、その貫通部６１から上側に連続するように切欠部６２を設けて構成される。
そして、平板部６０から直角方向に、スリッタユニットの筺体に取り付けるための取付部６３を設けている。この取付部６３とは反対側の周縁部において、用紙の切り屑を排出部７へと向かわせるためのガイド部６４を形成している。
【００３１】
ガイド部６４は、隣合う２枚の薄刃２２ａ，２２ｂ間に介挿可能な幅の厚みを有する。
ガイド部材２３の貫通部６１は、第２のスリッタ２のシャフト２１を貫通させることができるように、そのシャフト径よりも僅かに大きい内径Ｍに設計されている。切欠部６２の両端を結ぶ距離Ｎも、シャフト径よりも僅かに大きく設計することで、軸方向に直交する方向からシャフトに嵌め込むことができるようにしている。
本実施形態の場合、シャフト径１２ｍｍに対して、貫通部６１の内径Ｍが１５m、切欠部６２の両端の距離Ｎは１４ｍｍとなっている。
【００３２】
貫通部６１の中心から上縁部（即ち、ガイド部６４の上端部）までの長さを、第２回転刃２２の半径よりも小さく設定する（即ち、上端部を回転刃２２の周縁よりもシャフト２１側に位置させる）ことで、用紙３の切り屑が、刃２２の回転と共に回り込んでしまわないようにしている。
即ち、搬送された用紙３が裁断される地点、或いは裁断地点よりもやや搬送先側に、ガイド部６４の上端が位置するように切欠部６２を設計し、その上端から第２回転刃２２の回転方向に沿ってカーブを描き、搬送先側の先端部から第２回転刃２２の下方へと向かうようにガイド部６４が形成されている（図５を参照）。
このようにガイド部材２３を設計することで、裁断された用紙（即ち、帯状の切り屑）が薄刃２２ａ，２２ｂ間に停滞する余地をなくし、シャフト２１の方に切り屑が圧入されるのを防止することができる。
【００３３】
このようなガイド部材２３は、図８に示すように、貫通部６１と、その貫通部６１から上方に向けて連続する切欠部６２と、を有する平板６０’の一側部を折り曲げることで製造することができる。この折り曲げられた部位によって、前記筺体への取付部６３が形成され、切欠部６２から下方に向けて連続する他側縁部において、切り屑を排出部７へと向かわせるためのガイド部６４が形成される。
ガイド部材２３は、第２のスリッタ２が筺体４０に組み付けられた後に、ドブ落とし用の２枚の薄刃２２ａ、２２ｂの間に嵌め込まれ、シャフト２１に環装される。そして、取付部６３を介して筺体４０に固定される。
【００３４】
第１及び第２のスリッタ１、２を組み付けた後、筺体４０の下流側の側面を蓋部材４１と底部材４２によって覆うことで、本実施形態に係るスリッタユニットが形成される。
このスリッタユニットの下流には、裁断された用紙（即ち、複数のカードと切り屑）を、カード裁断機１００の外壁面に取り付けられたカード排出部７へと搬送するための排出ローラ５８が設けられる。
カード排出部７は、裁断されたカードのサイズに応じた幅のトレイを有してなり、排出されたカードがトレイ内に積層されるようになっている。
【００３５】
上記構成のカード裁断機によってカードを作成する状態を説明する。
まず、カード用の印刷がされた用紙３を給紙トレイ４に供給し、駆動用のスイッチを入れる。すると、給紙ローラ等５１，５２によって用紙が１枚づつ取り出され、カッタ機構９へと搬送される。
その搬送中に、用紙３に表示されたマーク３３によって、用紙や切断態様に関する情報を入手し、その態様に応じて搬送制御ローラ５５の回転されるように、その駆動モータが制御される（図３を参照）。この場合、最初の切断位置Ｌ１において停止させ、切断刃９ａ，９ｂによって裁断する。そして、カードの縦方向の長さに相当する量だけ搬送し、切断刃９ａ、９ｂによって次の切断を行う。このようにして、所定の位置（Ｌ１，Ｌ２，Ｌ３、Ｌ４，Ｌ５，Ｌ６）まで搬送されて停止され、順次切断されることで、用紙３の横方向の切断が完了する。
【００３６】
その後、スリッタ機構１０によって、搬送方向に沿ってカード領域３１と余白部３２、３４とが裁断され、裁断されたカード領域３１は、カード排出部７へと排出され、余白部３２、３４は、切り屑用の排出部７０へと排出される。この際、切り落とされた余白部３２は、ドブ落とし用の薄刃２２ａ，２２ｂの間に設けられたガイド部材２３によって、円滑に排出部７０へと導かれるので、回転刃間に挟まることはない。
このようなカード裁断機１００において、ガイド部材２３のメンテナンスを行う際には、カード裁断機１００からスリッタユニットを取り出し、筺体４０の底面を覆う蓋部４２を取り外した後、取付部６３を介してガイド部材２３を取り外す（図４を参照）。第２のスリッタ２を筺体４０から取り外して分解することなく、ガイド部材２３を着脱することができるので、製造及び修理の際の作業性が向上される。
【００３７】
なお、本実施形態に係るカード裁断機は、用紙を縦方向と横方向に裁断するものとしたが、用紙を縦方向のみに裁断するもの（即ち、カッタ機構を有しないもの）であってもよい。  
また、スリッタ機構は、搬送機構やカッタ機構などの機構と共に、１つの筺体内に収容されたものであってもよい。この場合、ガイド部材２３の板材６０の形状、取付部６３を形成するための折り曲げ状態は、第２のスリッタ２の取り付け位置に応じて適宜設計されるものとする。
【００３８】
ガイド部材２３の取付部６３は、例えば筺体４０の底面に取り付け可能な態様であってもよい。また、図８に示すガイド部材２３’のように、特定位置に設けられた排出部７０’に切り屑を導くように、ガイド部６４’の傾斜状態を設計してもよい。この場合、カード用の搬送路８とは異なる方向に導かれるように、切り屑用の搬送路を規制するための規制板７１を、第２のスリッタ２の回転刃２２が配設される位置に設けてもよい。
さらに、本発明における用紙の材質は、紙に限られるものではなく、シート状のものであれば如何なる素材であってもよい。
【産業上の利用可能性】
【００３９】
本発明は、事務用に限らず、あらゆる産業分野で使用されるカード裁断機に適用することができる。
【符号の説明】
【００４０】
１・・・第１のスリッタ
２・・・第２のスリッタ
３・・・用紙
４・・・トレイ
５・・・搬送部
６・・・裁断部
７・・・カード排出部
８・・・搬送路
９・・・カッタ機構
１０・・・スリッタ機構
１１・・・シャフト
１２・・・第１回転刃
１５・・・歯車
１８・・・押圧ローラ
２１・・・シャフト
２２・・・第２回転刃
２３・・・ガイド部材
２４・・・スプリング
２５・・・歯車
２７・・・ボス
２８・・・押圧ローラ
２９・・・位置ズレ防止用ローラ
３１・・・カード領域
３２・・・余白
３３・・・マーク
３４・・・余白
４０・・・筺体
５１・・・ピックアップローラ
５２・・・給紙ローラ  
５３・・・重送防止パッド
５４・・・搬送ローラ
５５・・・搬送制御ローラ
５６・・・第２搬送ローラ
５７・・・第３搬送ローラ
５８・・・排出ローラ
６０・・・平板部
６１・・・貫通部
６２・・・切欠部
６３・・・取付部
６４・・・ガイド部
７０・・・切り屑用の排出部
７１・・・規制板
【図１】
2012218106.tif 000003
【図２】
2012218106.tif 000004
【図３】
2012218106.tif 000005
【図４】
2012218106.tif 000006
【図５】
2012218106.tif 000007
【図６】
2012218106.tif 000008
【図７】
2012218106.tif 000009
【図８】
2012218106.tif 000010
【図９】
2012218106.tif 000011
【図１０】
2012218106.tif 000012
【図１１】
2012218106.tif 000013
【図１２】
2012218106.tif 000014